(57)【特許請求の範囲】
【請求項１】
設置面に設置される自動取引装置であって、
切欠部が設けられた側を有する筐体と、
該筐体の該切欠部が設けられた側に開閉可能に設けられた扉と、
該扉の閉成時に該切欠部を塞ぐと共に、該扉の開成時に該扉を設置面に対して支持可能な塞ぎ部材とを備えた、自動取引装置。
【請求項２】
前記塞ぎ部材は、前記扉から前記設置面方向へ突出する構成を有する、請求項１記載の自動取引装置。
【請求項３】
前記塞ぎ部材は、前記扉と一体的に設けられ、該扉の閉成時には該扉と共に前記筐体の側と略同一外周面を形成する、請求項１又は２記載の自動取引装置。
【請求項４】
前記塞ぎ部材は、前記設置面との摺動摩擦を低減する手段を有する、請求項１〜３のいずれか１項記載の自動取引装置。
【請求項５】
キャスタが設けられたユニットを更に備え、
該ユニットが前記筐体内に収納されている状態では、該キャスタが前記切欠部内に挿入され前記塞ぎ部材により該切欠部が塞がれる、請求項１〜４のいずれか１項記載の自動取引装置。
【発明の詳細な説明】
【０００１】
【発明の属する技術分野】
本発明は自動取引装置に係り、特に切欠部が設けられた筐体と扉とを有する構成の自動取引装置に関する。
本明細書では、自動取引装置とは、現金を取り扱う自動入出金装置（ＡＴＭ）、現金自動支払機（ＣＤ）、切符販売機等の、自動で取り引きを行うことのできる装置を言う。
【０００２】
【従来の技術】
図１は、従来の自動取引装置の一例を示す斜視図である。同図中、自動取引装置１内に収納されるＢＲＵ等と呼ばれる重量ユニット２は、作業性及び安全性の面から、ユニット２の下部にキャスタ３が取り付けられている。これにより、同図中一点鎖線で示すように、自動取引装置１の筐体４からユニット２を引き出す場合、ユニット２はキャスタ３により容易に移動可能である。
【０００３】
ユニット２の筐体４内への収納時には、同図中二点鎖線で示すように、やはりキャスタ３によりユニット２は容易に移動可能である。そして、収納された状態では、ユニット２のキャスタ３が、筐体４に設けられた切欠部５内に挿入される。
【０００４】
【発明が解決しようとする課題】
しかし、ユニット２の容量をかせぐために、キャスタ３を切欠部５内に挿入する構成であるため、扉６を閉めた状態では、切欠部５が外部に露出している。このため、自動取引装置の設置場所によっては、切欠部５から塵、虫、小動物が筐体４内に入り込む可能性があり、自動取引装置の信頼性が低下する可能性があるという問題があった。
【０００５】
他方、扉６は、通常防犯上厚板で構成されているため、開けた際にヒンジに大きな負担がかかり、次第に設置面方向へ垂れ下がる傾向がある。このため、扉６を開けた際に、最悪の場合には保守者の足等に扉６が落ちる事故が発生する可能性もあるという問題があった。又、扉６の重みで、扉６を開けた際に自動取引装置が転倒する事故も可能性としてはあった。
【０００６】
更に、特に扉６が自動取引装置を使用するユーザから見える側に設けられている場合には、切欠部５が外部に露出しているため、外観上あまり好ましくないという問題もあった。
そこで、本発明は、扉の開成時の垂れ下がりや自動取引装置の転倒等による事故を確実にい防止すると共に、外観上も見栄えが良い自動取引装置を提供することを目的とする。
【０００７】
【課題を解決するための手段】
上記の課題は、設置面に設置される自動取引装置であって、切欠部が設けられた側を有する筐体と、該筐体の該切欠部が設けられた側に開閉可能に設けられた扉と、該扉の閉成時に該切欠部を塞ぐと共に、該扉の開成時に該扉を設置面に対して支持可能な塞ぎ部材とを備えた自動取引装置によって達成される。本発明によれば、扉の開成時の垂れ下がりや自動取引装置の転倒等による事故を確実にい防止すると共に、外観上も見栄えが良い自動取引装置を実現できる。
【０００８】
前記塞ぎ部材は、前記扉から前記設置面方向へ突出する構成を有しても良い。
又、前記塞ぎ部材は、前記扉と一体的に設けられ、該扉の閉成時には該扉と共に前記筐体の側と略同一外周面を形成しても良い。この場合、自動取引装置の外観上の見栄えが特に良くなる。
前記塞ぎ部材は、前記設置面との摺動摩擦を低減する手段を有しても良い。この場合、扉の開閉を特に円滑に行える。
【０００９】
自動取引装置は、キャスタが設けられたユニットを更に備え、該ユニットが前記筐体内に収納されている状態では、該キャスタが前記切欠部内に挿入され前記塞ぎ部材により該切欠部が塞がれる構成であっても良い。この場合、ユニットの容量を犠牲にすることなく、ユニットの筐体に対する容易な引き出し及び収納が可能となる。
【００１０】
従って、本発明によれば、扉の開成時の垂れ下がりや自動取引装置の転倒等による事故を確実にい防止すると共に、外観上も見栄えが良い自動取引装置を実現し得る。
【００１１】
【発明の実施の形態】
以下、図２以降と共に、本発明になる自動取引装置の実施例を説明する。
【００１２】
【実施例】
図２は、本発明になる自動取引装置の一実施例を示す斜視図である。本実施例では、本発明がＡＴＭに適用されている。
図２に示すように、ＡＴＭ１１は、大略筐体１４、扉１６及び操作パネル２１からなる。尚、扉１６の位置は、操作パネル２１が設けられている筐体１４の前面側に限定されるものではなく、側面側に設けられていても、背面側に設けられていても良い。又、扉１６に設けられる把手及び鍵は、どのような形態のものでも使用可能であるため、その図示及び説明は省略する。
【００１３】
図３は、本実施例の要部を扉１６を開けた状態で示す斜視図である。又、図４は、本実施例の要部を扉１６を閉めた状態で示す斜視図である。
ＡＴＭ１１の筐体１４内に収納されるＢＲＵ等と呼ばれる重量ユニット１２は、作業性及び安全性の面から、ユニット１２の下部にキャスタ１３が取り付けられている。これにより、同図中一点鎖線で示すように、ＡＴＭ１１の筐体１４からユニット１２を引き出す場合、ユニット１２はキャスタ１３により容易に移動可能である。
【００１４】
ユニット１２の筐体１４内への収納時には、同図中二点鎖線で示すように、やはりキャスタ１３によりユニット１２は容易に移動可能である。そして、収納された状態では、ユニット１２のキャスタ１３が、筐体１４に設けられた切欠部１５内に挿入される。
本実施例では、ユニット１２の容量をかせぐために、キャスタ１３を切欠部１５内に挿入する構成である。しかし、扉１６には、扉１６を閉めた状態で切欠部１５を塞ぐ塞ぎ部材１８が設けられている。このため、扉１６を閉めた状態では、図４に示すように、切欠部１５が塞ぎ部材１８により完全に塞がれている。ＡＴＭ１１の設置場所によっては、切欠部１５から塵、虫、小動物が筐体４内に入り込む可能性があり、ＡＴＭ１１の信頼性が低下する可能性があるが、本実施例では、切欠部１５が塞ぎ部材１８により完全に塞がれる構成となっているため、そのような問題は発生しない。
【００１５】
他方、扉１６は、通常防犯上厚板で構成されているため、開けた際にヒンジ（図示せず）に大きな負担がかかり、次第に設置面方向へ垂れ下がる傾向がある。
しかし、本実施例では、切欠部１５が扉１６から設置面方向に突出しているため、切欠部１５が扉１６を開けた際の支持部としても機能する。このため、扉１６が保守者の足等に落ちる事故や、扉１６を開けた際に扉１６の重みでＡＴＭ１１が転倒するような事故も、確実に防止できる。
【００１６】
更に、特に扉１６がＡＴＭ１１を使用するユーザから見える側に設けられている場合でも、切欠部１５が外部に露出しない構成であるため、外観上の見栄えも良い。つまり、扉１６を閉めた状態では、図４に示すように、塞ぎ部材１８の露出面は、扉１６及び扉１６の下部に設けられたスカート１９と共に、筐体１４の扉１６が設けられた側と略同一外周面を形成する、所謂フラッシュサーフェス化が可能である。
【００１７】
図５は、塞ぎ部材１８の一実施例を示す斜視図である。図３に示す塞ぎ部材１８は、特に設置面との摺動摩擦を低減する手段を有する構成ではない。しかし、塞ぎ部材１８には、図５に示す如き、設置面との摺動摩擦を低減する手段を設けても良い。
図５中、（ａ）は塞ぎ部材１８に摺動摩擦を低減する部材１８０が設けられている実施例を示し、（ｂ）は塞ぎ部材１８に摺動摩擦を低減するローラ１８１が設けられている実施例を示す。勿論、摺動摩擦を低減する手段は、同図に示すものに限定されない。
【００１８】
図６は、本発明になる自動取引装置の他の実施例の要部を示す斜視図である。
同図中、図３と同一部分には同一符号を付し、その説明は省略する。
本実施例では、図６に示すように、扉１６−１がスカート１９まで覆う構成となっている。塞ぎ部材１８−１は、扉１６−１を閉めた状態では、扉１６−１とキャスタ１３との間の切欠部１５を塞ぐ位置に、扉１６−１と一体的に設けられている。つまり、扉１６−１の下部の一部が、塞ぎ部材１８−１の一部としても機能する。
【００１９】
従って、特に扉１６−１がＡＴＭ１１を使用するユーザから見える側に設けられている場合でも、切欠部１５が外部に露出しない構成であるため、外観上の見栄えも良い。つまり、扉１６−１を閉めた状態では、図６に示すように、塞ぎ部材１８−１の露出面は、扉１６−１と共に、筐体１４の扉１６−１が設けられた側と略同一外周面を形成する、所謂フラッシュサーフェス化が可能である。
【００２０】
尚、本実施例においても、塞ぎ部材１８−１に図５に示す如き設置面との摺動摩擦を低減する手段を設けても良い。
以上、本発明を実施例により説明したが、本発明は上記実施例に限定されるものではなく、種々の変形及び改良が可能であることは、言うまでもない。
【００２１】
【発明の効果】
本発明によれば、扉の開成時の垂れ下がりや自動取引装置の転倒等による事故を確実にい防止すると共に、外観上も見栄えが良い自動取引装置を実現し得る。
【図面の簡単な説明】
【図１】従来の自動取引装置の一例を示す斜視図である。
【図２】本発明になる自動取引装置の一実施例を示す斜視図である。
【図３】自動取引装置の実施例の要部を扉を開けた状態で示す斜視図である。
【図４】自動取引装置の実施例の要部を扉を閉めた状態で示す斜視図である。
【図５】塞ぎ部材の一実施例を示す斜視図である。
【図６】本発明になる自動取引装置の他の実施例の要部を示す斜視図である。
【符号の説明】
１１      ＡＴＭ
１２      ユニット
１３      キャスタ
１４      筐体
１５      切欠部
１６，１６−１      扉
１８，１８−１      塞ぎ部材
【図１】
0003708371.tif 000002
【図２】
0003708371.tif 000003
【図３】
0003708371.tif 000004
【図４】
0003708371.tif 000005
【図５】
0003708371.tif 000006
【図６】
0003708371.tif 000007